(57)【要約】【課題】ユーザの手を煩わせることなく、またゾーン表示を行うことなく、重なり合った表示データを容易に識別可能な形式で表示することのできるデータ表示方法を提供する。【解決手段】複数チャンネルの波形データをデジタル変換してそれぞれメモリに格納しておき、１ドット区間ごとの波形データの最大値および最小値を求め、この最大値および最小値の間を補間してなる表示データを表示するデータ表示方法において、前記表示データがチャンネル間で重なり合う場合は、重なり合って下になる表示データを、上になって表示される表示データに挿入して表示する。【選択図】      図３
2004150846.tif 000002
【特許請求の範囲】
【請求項１】
複数チャンネルの波形データをデジタル変換してそれぞれメモリに格納しておき、１ドット区間ごとの波形データの最大値および最小値を求め、この最大値および最小値の間を補間してなる表示データを表示するデータ表示方法において、前記表示データがチャンネル間で重なり合う場合は、重なり合って下になる表示データを、上になって表示される表示データに挿入して表示するようにしたことを特徴とするデータ表示方法。
【請求項２】
前記重なり合って下になる表示データの端点近傍の表示を、グラデーション表示にして、上に表示される表示データに挿入して表示するようにしたことを特徴とする請求項１記載のデータ表示方法。
【請求項３】
前記重なり合っている部分を、各チャンネルの表示データの表示色とは異なる表示色で表示するようにしたことを特徴とする請求項１または２記載のデータ表示方法。
【請求項４】
前記重なり合っている部分を、不連続に表示することを特徴とする請求項１ないし３のいずれかに記載のデータ表示方法。
【請求項５】
前記端点が重なり合っている部分を、輝度を変化させるかまたは点滅表示とするようにしたことを特徴とする請求項１ないし４のいずれかに記載のデータ表示方法。
【請求項６】
前記端点が重なり合っている部分では、上に表示される表示データとは異なる表示色により端点近傍の周囲を囲って表示するようにしたことを特徴とする請求項１ないし５のいずれかに記載のデータ表示方法。
【請求項７】
前記重なり合っている部分の端点表示は１ドットであることを特徴とする請求項１または３または５または６記載のデータ表示方法。
【発明の詳細な説明】
【０００１】
【発明の属する技術分野】
本発明は、レコーダや波形表示機能付きの制御機器やデジタルオシロスコープなどのペーパーレスの波形表示装置におけるデータ表示方法に関し、詳しくは、複数チャンネルの波形表示が可能であり、画面の１ドットに相当する時間に測定または演算されたデータの最大値と最小値を求め、その最大最小値を用いることによって入力波形を圧縮表示するようにしたデータ表示方法における重なり表示の改善に関するものである。
【０００２】
【従来の技術】
測定した波形データを表示する方法として次のような表示方法がある。表示画面の時間軸における最小表示分解能１ドットに相当する時間内にサンプリング測定された複数のデータまたは演算データについてその最大値と最小値を求め（この最大最小値は複数のサンプリングデータを圧縮したものとなる）、表示の際にはこの最大値と最小値の間を補間して直線状に表示する方法がある（例えば、特許文献１参照）。
【０００３】
図４はこのような最大最小値表示に関する説明図である。同図（ａ）のように１ドットに相当する時間（以下１ドット区間という）内の測定データについてその最大値が５Ｖ、最小値が１Ｖであったとする。１ドット区間の表示データは同図（ｂ）のように最大値と最小値の間を補間した垂直線の表示となる。そして、各ドット区間の表示データは同図（ｃ）のように横方向に並べて表示される。
【０００４】
【特許文献１】
特開平８−５００３０号公報（第３頁、図４）
【０００５】
【発明が解決しようとする課題】
ところで、複数チャンネルの測定データが重ならない表示領域に表示される場合は問題ないが、例えば図５（ａ）に示すように第１チャンネル（１ｃｈ）と第２チャンネル（２ｃｈ）の表示データが重なる場合（図では説明のため時間軸をずらせて示してある）は、画面上には同図（ｂ）のように表示され、２ｃｈの最大値が分からなくなるという課題があった。
【０００６】
これを解消するために、表示範囲を複数ゾーンに区分して各チャンネルを別々のゾーンに表示する方式も考えられるが、ユーザがその都度通常表示（上記の単ゾーン表示）か複数ゾーン表示かを選択して切替える必要があり、操作が煩雑になるという問題がある。なお、通常表示と複数ゾーン表示を自動で切替える方法もあり得るが、切替えのタイミングがユーザの希望に合わないと違和感を招く欠点がある。
【０００７】
本発明の目的は、上記の課題を解決するもので、ユーザの手を煩わせることなく、またゾーン表示を行うことなく、重なり合った表示データを容易に識別可能な形式で表示することのできるデータ表示方法を提供することにある。
【０００８】
【課題を解決するための手段】
このような目的を達成するために、請求項１の発明は
複数チャンネルの波形データをデジタル変換してそれぞれメモリに格納しておき、１ドット区間ごとの波形データの最大値および最小値を求め、この最大値および最小値の間を補間してなる表示データを表示するデータ表示方法において、前記表示データがチャンネル間で重なり合う場合は、重なり合って下になる表示データを、上になって表示される表示データに挿入して表示するようにしたことを特徴とする。
【０００９】
このように、重なり合って下になる表示データの端点を、上になって表示される表示データ上に浮きあがった形で表示できるため、各チャンネルの表示データの最大値、最小値を容易に認識できる。
【００１０】
この場合、請求項２のように、端点近傍のデータはグラデーション表示とすることもできる。
【００１１】
また、請求項３のように、重なり合っている部分を、各チャンネルの表示データの表示色とは異なる表示色で表示するようにしてもよい。
また、請求項４のように、重なり合っている部分を不連続に表示することもできる。
【００１２】
また、請求項５のように、端点が重なり合っている部分を、輝度を変化させるかまたは点滅表示とすることもできる。
また、請求項６のように、端点同士が重なり合っている部分では、上に表示される表示データとは異なる表示色により端点近傍の周囲を囲って表示するようにすることもできる。
また、請求項７のように、重なり合っている部分の端点表示は１ドットとすることもできる。
【００１３】
このように、請求項２から請求項７のような表示形式とすれば、表示データをより見やすい表示形式とすることができる。
【００１４】
【発明の実施の形態】
以下図面を用いて本発明を詳しく説明する。図１は本発明に係る波形データ表示方法を実現するための波形測定装置の一実施例を示す要部構成図である。図１に示す波形測定装置は、Ａ／Ｄ変換器１０ａ，１０ｂ（図では２チャネル分について示す）と、マルチプレクサ２０と、中央処理ユニット（ＣＰＵ）３０と、メモリ４０と、リードオンリーメモリ（ＲＯＭ）５０と、入力デバイス６０と、表示装置７０より構成されている。
【００１５】
Ａ／Ｄ変換器１０ａ，１０ｂは、複数チャンネルのアナログ入力信号を個別にデジタル変換する。マルチプレクサ２０は複数のＡ／Ｄ変換器の出力を択一的に選択する。メモリ４０にはＡ／Ｄ変換器により所定のサンプリング周波数でサンプリングされた波形データが記憶される。
【００１６】
表示装置７０は、複数の波形データより求められた１ドット区間ごとの表示データを画面表示する。ＣＰＵ３０は、Ａ／Ｄ変換器のサンプリング周波数や、メモリ４０に対するデータの書込みおよび読み出し、波形データから表示データを求める処理、表示装置７０への表示データの表示などの、各種の制御や処理を行う。
【００１７】
ＲＯＭ５０には、ＣＰＵ３０で実行される上記制御や処理のプログラムが格納されている。入力デバイス６０は、制御や処理に必要な情報などをＣＰＵ３０に入力する。
【００１８】
このような構成における動作を次に説明する。本実施例ではアナログ入力信号が２チャンネルの場合を例にとって説明する。アナログ入力信号はＡ／Ｄ変換器１０ａ，１０ｂによりそれぞれサンプリングされ、その波形データはマルチプレクサ２０を介してそれぞれメモリ４０に書込まれる。
【００１９】
ＣＰＵ３０はメモリ４０に書込まれた波形データを読み出し、各チャンネルについて１ドット区間当たりの波形データ中の最大値と最小値を求めて、メモリ４０に保存する。１ドット区間ごとの表示処理動作を、図２のフローチャートを参照して次に説明する。
【００２０】
（１）各チャンネルの最大値と最小値をメモリ４０から読み出し、最大値と最小値の間を補間して表示データ（最大値と最小値を結ぶ直線状の表示データである。これを補間データとも呼ぶ）を作成する（ステップ１）
（２）２つのチャンネルの表示データが重なり合うかどうかを調べる（ステップ２）。重なり合う場合は次のステップ３に進み、重ならない場合はステップ８に進む。
（３）補間データが重なり合う場合、２ｃｈの補間データの上に１ｃｈの補間データを重ねる（ステップ３）。
【００２１】
（４）１ｃｈの補間データに２ｃｈの最大値（端点）が重なっているかどうかを調べる（ステップ４）。
重なっている場合は、１ｃｈの補間データの上に２ｃｈの最大値（端点）を挿入する（ステップ５）。重なっていない場合は何もしないで次のステップ６に進む。
【００２２】
（５）１ｃｈ補間データに２ｃｈ補間データの最小値（端点）が重なっているかどうか調べる（ステップ６）。
重なっている場合は、１ｃｈの補間データ上に２ｃｈの最小値（端点）を挿入する（ステップ７）。重なっていない場合は、何もせずステップ８へ進む。
（６）１ドット区間の表示データを表示装置７０に表示して、１ドット区間の表示処理を終了する。
【００２３】
図３は表示データの各種表示例を示すものである。同図の（ａ），（ｂ），（ｃ），（ｄ），（ｅ）の表示例は、最小値１Ｖ、最大値５Ｖの１ｃｈデータ（斜線表示）と、最小値０Ｖ、最大値３Ｖの２ｃｈデータ（斜線以外の表示）の場合である。
同図の（ａ）は、下になる表示データの端点（この場合は、２ｃｈの最大値）のドットのみが浮き上がって（１ｃｈの表示データの上に）表示された場合である。
【００２４】
同図の（ｂ）は、同図の（ａ）のように下になる表示データの端点がドット１点だけでは識別困難であるため、端点の近傍のデータも合わせて表示するようにした場合である。
さらに見やすい表示形式として、同図の（ｃ）に示すように、下になる表示データ（この場合、２ｃｈ）の端点付近のデータをグラデーション表示とすることもできる。
【００２５】
また、同図の（ｄ）に示すように、重なり合っている部分（一部分）を１ｃｈ，２ｃｈとはそれぞれ異なる表示色、例えば混合色（中間色）などにすることにより、重なり合いが識別できる表示形式とすることもできる。例えば、１ｃｈが青色で、２ｃｈが赤色の表示色の場合、重なり合っている部分を紫色とするなどである。
【００２６】
また、同図の（ｅ）に示すように、重なり合っている部分を不連続表示（まだら表示）とすることもできる。このようにまだら表示とした場合、３チャンネル以上の表示データが重なり合っても識別可能となる。
【００２７】
同図の（ｆ）は、最小値が１Ｖで最大値が３Ｖである１ｃｈの表示データ（斜線表示）と、最小値が０Ｖで最大値が３Ｖの２ｃｈの表示データ（塗りつぶし表示）の場合である。このように端点が重なり合った場合には、端点近傍の周囲を上に表示される表示データとは異なる表示色で表示する。
または、重なり合った端点部分では、その表示輝度を変えて（例えば輝度を上げて）、または点滅表示（ブリンキング）させて、重なり合いを識別可能に表示することもできる。
また、同図（ｇ）に示すように端点近傍をグラデーション表示とすることもできる。
【００２８】
なお、本発明は、上記実施例に限定されることなく、その本質から逸脱しない範囲で更に多くの変更、変形をも含むものである。そして、本発明はレコーダや波形表示機能付きの制御機器、同様な表示形態をもつオシロスコープなどに幅広く適用することができる。
【００２９】
【発明の効果】
以上説明したように本発明によれば、表示データが他のチャンネルの表示データと重なり合った場合、ユーザの手を煩わせることなく、またゾーン表示を用いることなく、重なり合った表示データを容易に識別可能に表示することができるという効果がある。
【図面の簡単な説明】
【図１】本発明に係るデータ表示方法を実現するための装置の一実施例を示す要部構成図である。
【図２】１ドット区間の表示処理動作のフローチャートである。
【図３】表示データの各種表示例を示すものである。
【図４】最大最小値の表示に関する説明図である。
【図５】複数チャンネル表示の場合の説明図である。
【符号の説明】
１０ａ，１０ｂ  Ａ／Ｄ変換器
２０  マルチプレクサ
３０  ＣＰＵ
４０  メモリ
５０  ＲＯＭ
６０  入力デバイス
７０  表示装置
【図１】
2004150846.tif 000003
【図２】
2004150846.tif 000004
【図３】
2004150846.tif 000005
【図４】
2004150846.tif 000006
【図５】
2004150846.tif 000007